(57)【要約】【課題】  ブローブの接触部材と被検査部とを簡単かつ容易に接触させることができようにする。【解決手段】  プローブ１のカバー３に溝部７を形成する。溝部７に拡大レンズ９の取付枠１０に形成するクリップ部１１を弾発的に嵌め入れてプローブ１に着脱自在な拡大レンズ９を装着する。拡大レンズ９は溝部７によって接触端部４に拡大レンズ９の焦点距離がほぼ合う位置に位置決めされる。カバー３に装着する拡大レンズ９は作業者の視点に合わせて前後方向に傾動可能でかつ、カバー３を中心に回動自在に取り付けられる。これにより、拡大レンズ９を通して接触端部４と被検査対象の端子２６を拡大させ、容易に接触端部４と端子２６とを接触させることが可能となる。【選択図】      図１
2005241270.tif 000002
【特許請求の範囲】
【請求項１】
導電性の接触部材と、この接触部材の接触端を残して該接触部材を被覆する絶縁性材料から成るカバーとを備え、前記接触部材を回路基板等の被検査部に接触させて導通検査するプローブであって、前記カバーに少なくとも前記接触端部分を拡大させる拡大レンズを設けたことを特徴とする拡大機能を備えたプローブ。
【請求項２】
前記拡大レンズに、前記カバーに対して着脱自在に取り付けるための可撓性を有するＣ字状のクリッブ部を設け、前記カバーには前記クリッブ部を嵌め入れて前記拡大レンズを前後方向に位置決めする環状の溝部を形成するとともに、この溝部に装着した前記拡大レンズがカバーを中心して垂直方向に回動可能に取り付けられていることを特徴とする請求項１記載の拡大機能を備えたプローブ。
【請求項３】
前記拡大レンズを有する取付枠を設け、この取付枠の基端部に取付板を形成するとともに、前記クリップ部に前記取付板を挟み付ける左右一対の固定板を形成し、この固定板と前記取付板との何れか一方に取付軸を形成するとともに、他方に前記取付軸を軸支する受部を形成し、この取付軸を支点として前記拡大レンズを前記前後方向に傾動可能に取り付たことを特徴とする請求項２記載の拡大機能を備えたプローブ。
【請求項４】
前記クリップ部の内面にゴム等からなる緩衝材を設けたことを特徴とする請求項２又は３記載の拡大機能を備えたプローブ。
【発明の詳細な説明】
【技術分野】
【０００１】
本発明は、回路基板等の被検査部に接触させて導通検査するプローブ、特に接触部材と接触端部分を拡大状態で視認可能な拡大レンズを備えた拡大機能を備えたプローブに関する。
【背景技術】
【０００２】
従来の検査用プローブとして、プローブの先端に形成する接触部材を例えば回路基板に実装する電子部品の端子や、回路パターンに接触させて検査器により回路基板に実装する電子部品や回路パターンの導通検査するようにして構成したものが知られており、特許文献１には、プローブの先端に接触部材としてニードルピンを設け、このニードルピンの先端部を非検査時に拘束部材で拘束する形態にしてニードルピンの振動特性を改善し、検査を繰り返し行う時におけるニードルピンの振動を低減して検査の高速化を図る技術が開示されている。
【０００３】
【特許文献１】特開２００１−４１９７９号公報
【発明の開示】
【発明が解決しようとする課題】
【０００４】
ところで、近年、各種電気製品は小型・軽量化が望まれ、各種電気製品に組み込まれる回路基板についても小型化に向かう傾向にある。このため、回路基板に各種電子部品が高密度に実装され、回路基板の導通検査に際し、被検査部となる各種電子部品の端子や回路パターンが極めて幅狭に形成されていることから、作業者の目視によって回路基板に実装する電子部品の端子や回路パターン等にブローブの接触部材を接触させることが極めて困難となる。このため、検査作業時にブローブの接触部材を各種電子機器の端子や回路パターンに接触させるのに時間がかかるばかりでなく、誤って検査対象の端子と隣接する端子などに接触部材が接触するなどの接触ミスを誘発する危険があり、最悪の場合、短絡事故を引き起こす心配があるため、効率的な検査作業を行えない、といった課題を有していた。
【０００５】
本発明は、上記課題に鑑みてなされたもので、ブローブの接触端部分を拡大させて視認させることで、ブローブの接触部材と被検査部とを簡単かつ容易に接触させることができる拡大機能を備えたプローブを提供することを目的とする。
【課題を解決するための手段】
【０００６】
本発明の請求項１の拡大機能を備えたプローブは、導電性の接触部材と、この接触部材の接触端を残して該接触部材を被覆する絶縁性材料から成るカバーとを備え、前記接触部材を回路基板等の被検査部に接触させて導通検査するプローブであって、前記カバーに少なくとも前記接触端部分を拡大させる拡大レンズを設けたことを特徴とする。
【０００７】
請求項１の構成により、拡大レンズを通して接触部材の接触端を拡大させて視認可能であるから、導通検査などに際し、接触部材と端子などの被検査部との接触作業が容易である。
【０００８】
本発明の請求項２の拡大機能を備えたプローブは、請求項１記載の拡大機能を備えたプローブにおいて、前記拡大レンズに、前記カバーに対して着脱自在に取り付けるための可撓性を有するＣ字状のクリッブ部を設け、前記カバーには前記クリッブ部を嵌め入れて前記拡大レンズを前後方向に位置決めする環状の溝部を形成するとともに、この溝部に装着した前記拡大レンズがカバーを中心して垂直方向に回動可能に取り付けられていることを特徴とする。
【０００９】
請求項２の構成により、クリッブ部をカバーの溝部に嵌め入れると拡大レンズを前後方向に位置決め、ほぼ拡大レンズの焦点距離がプローブの接触端に合った位置に拡大レンズが取り付けえられる。この位置で拡大レンズはカバーを中心して垂直方向に回動可能でありから、作業者の視点に合わせてプローブの接触端が見やすい位置に拡大レンズの位置調整が可能となる。
【００１０】
本発明の請求項３の拡大機能を備えたプローブは、請求項２記載の拡大機能を備えたプローブにおいて、前記拡大レンズを有する取付枠を設け、この取付枠の基端部に取付板を形成するとともに、前記クリップ部に前記取付板を挟み付ける左右一対の固定板を形成し、この固定板と前記取付板との何れか一方に取付軸を形成するとともに、他方に前記取付軸を軸支する受部を形成し、この取付軸を支点として前記拡大レンズを前記前後方向に傾動可能に取り付たことを特徴とする。
【００１１】
請求項３の構成により、拡大レンズを前後方向に傾動させることによって、作業者の視点に合わせてプローブの接触端が見やすい位置に拡大レンズの傾きを調整することが可能となる。
【００１２】
本発明の請求項４の拡大機能を備えたプローブは、請求項２又は３記載の拡大機能を備えたプローブにおいて、前記クリップ部の内面にゴム等からなる緩衝材を設けたことを特徴とする。
【００１３】
請求項４の構成により、緩衝材によりカバーに装着した拡大レンズのガタ付きが抑制される。
【発明の効果】
【００１４】
本発明の請求項１の拡大機能を備えたプローブによれば、導電性の接触部材と、この接触部材の接触端を残して該接触部材を被覆する絶縁性材料から成るカバーとを備え、前記接触部材を回路基板等の被検査部に接触させて導通検査するプローブであって、前記カバーに少なくとも前記接触端部分を拡大させる拡大レンズを設けたものであるから、拡大レンズを通して接触部材の接触端部を拡大させることで、接触端部と被検査対象となる例えば端子を拡大させた状態で視認することができるから、電子部品を高密度に実装した回路基板などの導通検査に際し、容易に接触端部と端子とを接触させることができ、また、誤って検査対象の端子と隣接する端子と接触部材とが接触するといった接触ミスも防ぐことができ、検査作業の円滑化、効率化並びに作業時間の短縮化が可能であるとともに、接触ミスによる短絡事故も防止することができる。
【００１５】
本発明の請求項２の拡大機能を備えたプローブによれば、請求項１記載の拡大機能を備えたプローブにおいて、前記拡大レンズに、前記カバーに対して着脱自在に取り付けるための可撓性を有するＣ字状のクリッブ部を設け、前記カバーには前記クリッブ部を嵌め入れて前記拡大レンズを前後方向に位置決めする環状の溝部を形成するとともに、この溝部に装着した前記拡大レンズがカバーを中心して垂直方向に回動可能に取り付けられているものであるから、拡大レンズの焦点距離がプローブの接触端に合った位置に拡大レンズを取り付けることができ、拡大レンズを通して接触部材を視認する際、その接触部材の像がぼやけることなく、鮮明に視認することができる。さらに、拡大レンズがプローブに着脱自在に取付られ、必要に応じて拡大レンズをプローブから簡単に取り外すことができるため、倍率の異なる複数種の拡大レンズを用意し、被検査対象の大きさに合わせて、選択的にプローブに装着することができ、サイズが異なる多種多様な導通検査に用いることができる。さらに、拡大レンズは、溝部によって位置決めされた位置でカバーを中心して垂直方向に回動可能でありから、作業者の視点に合わせてプローブの接触端が見やすい位置に拡大レンズの位置調整を行うことができるから、より円滑で効率的な導通検査を行うことができる。
【００１６】
本発明の請求項３の拡大機能を備えたプローブによれば、請求項２記載の拡大機能を備えたプローブにおいて、前記拡大レンズを有する取付枠を設け、この取付枠の基端部に取付板を形成するとともに、前記クリップ部に前記取付板を挟み付ける左右一対の固定板を形成し、この固定板と前記取付板との何れか一方に取付軸を形成するとともに、他方に前記取付軸を軸支する受部を形成し、前記拡大レンズが前記取付軸を支点として前後方向に傾動可能に取り付けられているものであるから、拡大レンズを取付軸を支点として前後方向に傾動させることで作業者の視点に合わせてプローブの接触端が見やすい位置に拡大レンズの傾きを調整することができため、作業者の視点に合わせてプローブの接触端が見やすい位置に拡大レンズの傾きを調整することで、効率的な導通検査を行うことができる。
【００１７】
本発明の請求項４の拡大機能を備えたプローブによれば、請求項２又は３記載の拡大機能を備えたプローブにおいて、前記クリップ部の内面にゴム等からなる緩衝材を設けたものであるから、緩衝材によりカバーに装着した拡大レンズのガタ付きが抑制され、拡大レンズを確実にカバーに装着することができる。
【発明を実施するための最良の形態】
【００１８】
以下、添付図面を参酌しながら、本発明を実施するための最良の形態としての実施例を説明する。
【００１９】
図１〜図５は本発明の一実施例を示し、同図において、１は検査用のプローブであり、このプローブ１の接触部材２は導電性材料から成り、先端部に位置して先細状に形成された接触端部４を有し、この接触端部４を残して前記接触部材２が絶縁性材料からなるカバー３によって被覆されている。図４に示すように、カバー３の中心には前記接触部材２が貫通するとともに、その接触部材２の外周には円筒状のグランド用シールド５が接触部材２と同軸的に貫通し、これら接触部材２とシールド３を前記カバー３で多重に被覆している。すなわち、接触部材２とシールド３との間が第１の絶縁層３Ａで絶縁され、シールド３の外周が第２の絶縁層３Ｂで絶縁され、さらに第２の絶縁層３Ｂの外周を前記カバー３で被覆するようにしている。また、前記カバー３の外周部には、外周方向に膨出した径大部６が形成され、この径大部６の中央部に後述する拡大レンズ９を装着する環状の溝部７が形成されている。
【００２０】
前記拡大レンズ９は、取付枠１０に固定され、この取付枠１０の下部に前記カバー３の溝部７に嵌合して拡大レンズ９をプローブ１に装着するための、可撓性を有するＣ字状のクリップ部１１が形成されている。また、取付枠１０とクリップ部１１とは分割され、そのクリップ部１１の上端部に左右一対の固定板１３，１３が形成され、前記取付枠１０の基端部には前記固定板１３，１３の間に挿入する平板状に形成された取付板１４が形成されており、左右一対の固定板１３，１３で取付枠１０の取付板１４を挟み付けることによって、取付枠１０とクリップ部１１とを固定するようにしている。また、前記取付板１４には左右一対の取付軸１５が水平方向に突設され、この取付軸１５の受部たる左右一対の切欠溝１６が前記クリップ部１１の固定板１３，１３に形成されている。また、前記クリップ部１１の内面には弾性ゴムなどから成る緩衝材１７が接着剤などによって固定され、クリップ部１１を前記カバー３の溝部７に装着した際、緩衝材１７によって、拡大レンズ９を有する取付枠１０のガタ付きが抑制されるとともに、溝部７によって、前記拡大レンズ９はカバー３の軸線方向の動きが規制される。この溝部７によって位置決めされた拡大レンズ９の位置は、接触端部４に拡大レンズ９の焦点距離がほぼ合う位置であって、本実施例においては、前記接触端部４の先端から拡大レンズ９の中心までの長さＬが概ね１００ｍｍの位置に拡大レンズ９が取り付けられている。また、可撓性を有するクリップ部１１をカバー３の溝部７に嵌合させて拡大レンズ９を装着することによって、図４において一点鎖線で示すように、拡大レンズ９は溝部７内においてカバー３を回動中心として回動自在に取り付けられるとともに、拡大レンズ９を引き抜くことによって、プローブ１から拡大レンズ９を取り外すことが可能である（図２参照）。さらに、拡大レンズ９は、クリップ部１１の取付板１４に突設された取付軸１５が取付枠１０の固定板１３，１３に形成する切欠溝１６に軸支され、図１において一点鎖線で示すように、取付軸１５を支点としてカバー３の軸線方向に沿って前後方向に傾動自在に装着されている。なお、図１において、２０はプローブ１の先端側に装着したアース用の鰐口クリップ、２１はカバー３の後端側から導出したコードであり、このコード２１の末端には、図示しない検査器に接続するプラグ２２が設けられている。
【００２１】
以上のように構成されるプローブ１は、例えば、図５に示すように、回路基板に実装した電子部品２５の端子２６に接触させて、コード２１に設けたプラグ２２に接続した図示しない検査器によって導通検査を行う。この時、プローブ１に装着した拡大レンズ９を通して被検査対象の端子２６を視認することで、端子２６と、これに接触させる接触部材２の接触端部４の双方を拡大させてことができ、回路基板に電子部品２５が高密度に実装され、その電子部品２５が極めて小さいものであったとしても、拡大レンズ９を通して接触部材２の接触端部４と被検査対象の端子２６を拡大させることで、容易に接触端部４と端子２６とを接触させることができる。さらに、誤って検査対象の端子２６と隣接する端子２６と接触部材２とが接触するといった接触ミスも防ぐことで短絡事故も防止することができる。このように、極小あるいは幅狭な端子２６の導通検査に際し、簡単にかつ容易に接触端部４と端子２６とを接触させることができるため、検査作業の円滑化、効率化並びに作業時間の短縮化を図ることができるとともに、接触ミスによる短絡事故も防止することができる。また、カバー３に対して拡大レンズ９を位置決めする溝部７は、拡大レンズ９の焦点距離が接触端部４に合うように形成されているから、拡大レンズ９を通して接触部材２を視認する際、その接触部材２の像がぼやけることなく、接触部材２を鮮明に視認させることができる。また、可撓性を有するクリップ部１１をカバー３の溝部７に弾発的に嵌め入れて拡大レンズ９を取り付けものであるから、拡大レンズ９を必要に応じてプローブ１から簡単に取り外すことができる。したがって、倍率の異なる複数種の拡大レンズ９を用意し、これを選択的にプローブ１に装着することにより、被検査対象の端子２６の大きさに合わせて、その大きさに応じた倍率の各拡大レンズ９を簡単に装着することができる。このため、大きさの異なる多種多様な導通検査に用いることができる。また、プローブ１に装着する拡大レンズ９は、取付軸１５を支点として前後方向に傾動自在に装着されるとともに、溝部７内においてカバー３を回動中心として回動自在に取り付けられているから、作業しやすい作業者の視点に合わせて拡大レンズ９の位置や傾きを簡単に調整することができ、作業性にも優れる。また、クリップ部１１の内面には弾性ゴムなどから成る緩衝材１７が固定され、この緩衝材１７によって、クリップ部１１を前記カバー３の溝部７に装着した際、拡大レンズ９のガタ付きを抑えて確実に拡大レンズ９を固定することができる。
【００２２】
以上、本発明の実施例について詳述したが、本発明は、前記実施例に限定されるものではなく、本願発明の要旨の範囲内で種々の変形実施が可能である。例えば、前記実施例では、拡大レンズとして凸大レンズ状のものを取り付けた例を示したが、これに限らず、フレネルレンズを装着してもよい。さらに、拡大レンズにプローブに取り付けるクリップ部の形状や、その取付構造なども前記実施例に限定されるものではなく、適宜選定するばよい。また、検査対象として必ずしも回路基板に限るものではなく、各種電気製品の導通検査用などとして用いることができるのは勿論である。
【図面の簡単な説明】
【００２３】
【図１】本発明の一実施例を示すプローブの側面図である。
【図２】同上、拡大レンズを取り外した状態を示すプローブの側面図である。
【図３】同上、拡大レンズとプローブとの分解斜視図である。
【図４】同上、拡大レンズの装着状態を示す一部を切り欠いた正面図である。
【図５】同上、拡大レンズを用いて導通検査を行っている説明図である。
【符号の説明】
【００２４】
１  プローブ
２  接触部材
３  カバー
４  接触端部
７  溝部
９  拡大レンズ
１０  取付枠
１１  クリップ部
１３  固定板
１４  取付板
１５  取付軸
１６  切欠溝（受部）
１７  緩衝材
【図１】
2005241270.tif 000003
【図２】
2005241270.tif 000004
【図３】
2005241270.tif 000005
【図４】
2005241270.tif 000006
【図５】
2005241270.tif 000007